(57)【要約】【課題】複数の住戸で連続的に盗難等の被害が発生するのを防止する集合住宅用インターホンシステムを提供する。【解決手段】集合住宅の各住戸に配置され、ドアホン子器２を接続したインターホン親機１と、管理人室等に配置された警報監視盤５とを接続して構成した集合住宅用インターホンシステムにおいて、ドアホン子器２は、鳴動部を備えており、インターホン親機１は、防犯センサ３と、警報監視盤５から警戒信号を受信すると前記鳴動部から威嚇音を鳴動させるドアホン制御部を備えており、警報監視盤５は、前記防犯センサ３の作動によって、インターホン親機１のいずれかから防犯異常検知信号を受信したときには、他のインターホン親機１に前記警戒信号を送信することによって、前記警戒信号を受信したインターホン親機１に接続されたドアホン子器２から威嚇音を鳴動させるようにしている。【選択図】図１
2009077235.tif 000002
【特許請求の範囲】
【請求項１】
集合住宅の各住戸に配置され、ドアホン子器を接続したインターホン親機と、管理人室等に配置された警報監視盤とを接続して構成した集合住宅用インターホンシステムにおいて、
ドアホン子器は、鳴動部を備えており、インターホン親機は、防犯センサと、警報監視盤から警戒信号を受信すると前記鳴動部から威嚇音を鳴動させるドアホン制御部を備えており、
警報監視盤は、前記防犯センサの作動によって、インターホン親機のいずれかから防犯異常検知信号を受信したときには、他のインターホン親機に前記警戒信号を送信することによって、前記警戒信号を受信したインターホン親機に接続されたドアホン子器から威嚇音を鳴動させるようにしたことを特徴とする集合住宅用インターホンシステム。
【請求項２】
前記防犯異常検知信号を受信した警報監視盤は、その防犯異常検知信号を送信してきたインターホン親機の配置された住戸を判別して、該住戸に近隣した住戸に設置されたインターホン親機に前記警戒信号を送信することによって、それらの住戸に設置されたドアホン子器から威嚇音を鳴動させるようにしたことを特徴とする請求項１に記載の集合住宅用インターホンシステム。
【発明の詳細な説明】
【技術分野】
【０００１】
本願発明は、防犯センサと連動する集合住宅用インターホンシステムに関するものである。
【背景技術】
【０００２】
近時、全国各地でピッキング等による空き巣狙いが多発しており、不審者に対する住戸のセキュリティを強化することが要望されている。このような状況に対応した従来技術の例として、次の特許文献１には、住宅の玄関先に設置されるドアホンと、住宅内に設置される防犯センサとが接続しており、防犯センサが侵入者を検知した場合には、ドアホンから威嚇音を鳴動させることが記載されている。
【特許文献１】特開２００７−１０４０７８号公報
【発明の開示】
【発明が解決しようとする課題】
【０００３】
しかしながら、マンション等の集合住宅では、通常、一度に複数の住戸で盗難が発生することが多く、上記従来例のように侵入された住戸のみに威嚇音で対応するのでは、他の住戸での連続的な被害を防止することができなかった。
【０００４】
本願発明は、上記背景技術に鑑みて発明されたものであり、その課題は、複数の住戸で連続的に盗難等の被害が発生するのを防止する集合住宅用インターホンシステムを提供することである。
【課題を解決するための手段】
【０００５】
上記課題を解決するために、本願請求項１記載の発明では、集合住宅の各住戸に配置され、ドアホン子器を接続したインターホン親機と、管理人室等に配置された警報監視盤とを接続して構成した集合住宅用インターホンシステムにおいて、ドアホン子器は、鳴動部を備えており、インターホン親機は、防犯センサと、警報監視盤から警戒信号を受信すると前記鳴動部から威嚇音を鳴動させるドアホン制御部を備えており、警報監視盤は、前記防犯センサの作動によって、インターホン親機のいずれかから防犯異常検知信号を受信したときには、他のインターホン親機に前記警戒信号を送信することによって、前記警戒信号を受信したインターホン親機に接続されたドアホン子器から威嚇音を鳴動させるようにしたことを特徴としている。
【０００６】
また、本願請求項２記載の発明では、上記請求項１記載の検知器において、前記防犯異常検知信号を受信した警報監視盤は、その防犯異常検知信号を送信してきたインターホン親機の配置された住戸を判別して、該住戸に近隣した住戸に設置されたインターホン親機に前記警戒信号を送信することによって、それらの住戸に設置されたドアホン子器から威嚇音を鳴動させるようにしたことを特徴としている。
【発明の効果】
【０００７】
本願請求項１記載の集合住宅用インターホンシステムにおいては、いずれかの住戸の防犯センサで異常が検知された場合は、他の住戸のドアホン子器から威嚇音が鳴動されるため、複数の住戸で連続的に盗難等の被害が発生するのを防ぐことができる。
【０００８】
また、本願請求項２記載の集合住宅用インターホンシステムにおいては、防犯異常が検知された住戸の近辺で威嚇音を鳴動するため、侵入者の存在する確率の高い所で威嚇音を鳴動させることができる。更に、防犯異常が検知された住戸の近辺に限定して威嚇音を鳴動する構成とした場合は、不要な場所での威嚇音の鳴動を防止することができる。
【発明を実施するための最良の形態】
【０００９】
図１〜３は、一実施形態である集合住宅用インターホンシステムを示している。このものは、集合住宅の各住戸に配置され、ドアホン子器２を接続したインターホン親機１と、管理人室等に配置された警報監視盤５とを接続して構成した集合住宅用インターホンシステムにおいて、ドアホン子器２は、鳴動部を備えており、インターホン親機１は、防犯センサ３と、警報監視盤５から警戒信号を受信すると前記鳴動部から威嚇音を鳴動させるドアホン制御部を備えており、警報監視盤５は、前記防犯センサ３の作動によって、インターホン親機１のいずれかから防犯異常検知信号を受信したときには、他のインターホン親機１に前記警戒信号を送信することによって、前記警戒信号を受信したインターホン親機１に接続されたドアホン子器２から威嚇音を鳴動させるようにしている。
【００１０】
また、前記防犯異常検知信号を受信した警報監視盤５は、その防犯異常検知信号を送信してきたインターホン親機１の配置された住戸を判別して、該住戸に近隣した住戸に設置されたインターホン親機１に前記警戒信号を送信することによって、それらの住戸に設置されたドアホン子器２から威嚇音を鳴動させるようにしたことを特徴としている。
【００１１】
以下、この実施形態の集合住宅用インターホンシステムを、より具体的詳細に説明する。図１は、本発明の実施例の概略構成を説明するシステム図である。この集合住宅用インターホンシステムは、集合住宅の各住戸に配置され、ドアホン子器２（カメラ付ドアホン）および防犯センサ３を接続したインターホン親機１と、管理人室等に配置され、インターホン親機１の異常検知信号を受信する警報監視盤５と、住棟の玄関口に設置されたロビーインターホン６とを伝送線Ｌおよび分岐器４を介して接続した基本構成となっている。
【００１２】
集合住宅用インターホンシステムは、従来のインターホンシステムと同様の基本機能を有する。すなわち、ドアホン子器２、ロビーインターホン６側からインターホン親機１を呼び出して相互通話することができる。ドアホン子器２およびロビーインターホン６には、訪問者を撮影するカメラが設けられており、インターホン親機１では、それらのカメラが撮影した画像をモニタ画面上で確認できるようになっている。
【００１３】
また、インターホン親機１には、火災を検知するための熱センサ、煙センサ、ガス漏れを検知するためのガスセンサ、不審者の侵入行為等の防犯異常を検知する防犯センサ３等が接続されており、それらのセンサが異常を検知したときには、インターホン親機１が音声等で住人に報知すると共に、異常検知信号が警報監視盤５に送信される。警報監視盤５は、その異常検知信号を受信すると、ブザー等を鳴動させて管理人に報知する、外部機関に移報する等の処理を行う。
【００１４】
防犯センサ３は、住戸の玄関ドアや窓等を監視するものであり、住戸のドアや窓が解放されると異常として検出する。具体的な防犯センサ３としては、例えば、磁石により玄関ドアや窓の開閉を検知するマグネットスイッチ、電気錠がピッキング等によりＩＤ認証なしで解錠されたことを検知する電気錠制御装置等がある。
【００１５】
図２は、インターホン親機１及びドアホン子器２の概略回路構成を説明するブロック図である。インターホン親機１は、全体の制御を行う制御部１１と、伝送線Ｌが接続されることで制御、映像、音声等の各信号を受信する接続部１２と、ドアホン子器２やロビーインターホン６からの映像を映し出し液晶表示器等で構成されたモニタ１４Ｍと、入力された映像信号を制御しモニタ１４Ｍに映像信号を出力して表示させる映像処理部１４と、ドアホン子器２やロビーインターホン６、警報監視盤５との相互通話ができるよう制御をする通話処理部１３と、通話処理部１３に接続され音声を入出力するマイク１３Ｓ及びスピーカ１３Ｍと、各種操作キー等で構成された操作部１５と、各種プログラム及び威嚇音が記憶された記憶部１６とを備えている。
【００１６】
そして、インターホン親機１は、接続部１２を介して、防犯センサ３や、警報監視盤５、ドアホン子器２、と伝送線Ｌで接続されており、防犯センサ３で異常が検知されると、制御部１１にて防犯異常検知信号が生成され警報監視盤５へと伝送される。
【００１７】
ドアホン子器２は、全体の制御を行う制御部２１と、伝送線Ｌが接続される接続部２２と、訪問者を撮影するカメラ２４Ｃと、カメラ２４Ｃで撮影された映像を処理する映像処理部２４と、インターホン親機１との相互通話ができるよう制御をする通話処理部２３と、通話処理部２３に接続され音声を入出力するマイク２３Ｍ及びスピーカ２３Ｓと、押操作することでインターホン親機１を呼び出す操作部２５とを備えている。
【００１８】
ここで、警報監視盤５からインターホン親機１へと警戒信号が伝送された場合には、インターホン親機１の制御部１１は、記憶部１３から威嚇音を読みだしドアホン子器２へと伝送し、ドアホン子器２のスピーカ２３Ｓから威嚇音を鳴動させる。したがって、インターホン親機１の制御部１１が、ドアホン制御部となり、ドアホン子器２のスピーカ２３Ｓが威嚇音を鳴動する鳴動部となる。なお、ここでいう威嚇音は、不審者の侵入を阻止するための音であり、ブザー音であってもよいし、「近隣の住戸で侵入者を検知しました」等の音声警報であってもよい。また、この威嚇音はドアホン子器２の記憶部（不図示）に記憶するものであってもよい。
【００１９】
図３は、警報監視盤５及びロビーインターホン６の基本構成の一例を示す図であり、警報監視盤５は、全体の制御を行う制御部５１と、種々の操作を行う操作部５６と、伝送線Ｌが接続され各種信号を伝送するための接続部５２と、記憶部５７と、住戸や共用施設における異常発生を報知するための警報音や警報メッセージを生成してスピーカ（不図示）から送出する警報音生成部５５と、警報表示等を行う表示部５４と、通話部５３とを備えている。
【００２０】
ここで、インターホン親機１から異常検知信号を受信すると、制御部５１において異常検知の内容、異常検知がなされた住戸番号が判別される。そして、異常検知の内容が、マグネットスイッチや電気錠制御装置等において侵入者が検知された内容である防犯異常検知であれば、防犯異常検知された住戸及びその近辺の住戸のインターホン親機１に警戒信号を送信する。なお、防犯異常検知された住戸の近辺としては、同じ階の全住戸に送信することが考えられる。また、警戒信号の送信先は上記のように防犯異常検知された住戸の近辺に限ることはなく、ロビーインターホン６や、集合住宅の全住戸、或いは予め設定された任意の住戸に送信してもよい。
【００２１】
ロビーインターホン６は、全体の制御を行う制御部６１と、伝送線Ｌを介して警報監視盤５に接続される接続部６２と、住戸番号を指定するための番号キーや呼出釦を有する操作部６６と、来客者を撮影するカメラ６４Ｃと、カメラ６４Ｃでの撮影によって形成された映像信号を制御する映像処理部６４と、呼出先のインターホン親機１若しくは警報監視盤５との間でマイク６３Ｍとスピーカ６３Ｓを使用したハンズフリー通話をするための通話処理部６３と、各種プログラムや威嚇音が記憶される記憶部６６と、操作部６５で指定された住戸番号等を表示する表示部６７とを備えている。ここで、警報監視盤５から警戒信号が送信された場合は、制御部６１は記憶部６６から威嚇音を読み出し、スピーカ６３Ｓから威嚇音を鳴動させる。
【００２２】
図４は、集合住宅用インターホンシステムの警戒動作の一例を示すフロー図で、２つのインターホン親機１と、警報監視盤５と、ロビーインターホン６の連携した動作を時系列的に示している。まず、インターホン親機１（Ａ）が防犯センサ３により、不審者の侵入行為等を検知して（Ｓ０１）、防犯異常検知信号を警報監視盤５に送信する（Ｓ０２）。警報監視盤５は、その防犯異常発生信号を受信すると（Ｓ０３）、その防犯異常検知信号を送信してきたインターホン親機１の配置された住戸を判別して（Ｓ０４）、判別した住戸、該住戸に近隣した住戸に設置されたインターホン親機１（Ａ，Ｂ）とロビーインターホン６とに警戒信号を送信する（Ｓ０５）。
【００２３】
インターホン親機１（Ａ、Ｂ）は、警戒信号を受信すると（Ｓ０６）、接続しているドアホン子器２のスピーカ２３Ｓから威嚇音を鳴動する（Ｓ０７）。同様に、ロビーインターホン６は、警戒信号を受信するとスピーカ６３Ｓから威嚇音を鳴動する（Ｓ０７）。
【００２４】
したがって、この実施形態の集合住宅用インターホンシステムにおいては、いずれかの住戸の防犯センサ３で異常が検知された場合は、他の住戸のドアホン子器２から威嚇音が鳴動されるため、複数の住戸で連続的に盗難等の被害が発生するのを防ぐことができる。また、防犯異常が検知された住戸及びその住戸の近辺でのみ威嚇音を鳴動するため、侵入者の存在する確率の高い所で威嚇音を鳴動させることができると共に、不要な場所での威嚇音の鳴動を防止することができる。
【００２５】
なお、防犯異常が検知された住戸近辺だけではなく、全住戸及びロビーインターホン６においても威嚇音を鳴動させる場合は、侵入者を威嚇するだけでなく、他の住人に警戒を呼びかけることができる。
【図面の簡単な説明】
【００２６】
【図１】本願発明の一実施形態である集合住宅用インターホンシステムの概略構成を説明するシステム図。
【図２】同集合住宅用インターホンシステムのインターホン親機及びドアホン子器を示すブロック図。
【図３】同集合住宅用インターホンシステムの警報監視盤及びロビーインターホンを示すブロック図。
【図４】同集合住宅用インターホンシステムの警戒動作の一例を示すフロー図
【符号の説明】
【００２７】
１  インターホン親機
１１  制御部（ドアホン制御部）
２  ドアホン子器
２３Ｓ  スピーカ（鳴動部）
３  防犯センサ
５  警報監視盤
【図１】
2009077235.tif 000003
【図２】
2009077235.tif 000004
【図３】
2009077235.tif 000005
【図４】
2009077235.tif 000006